(57)【要約】【課題】電池の残量が切れてしまった場合であっても、使用者が、自己の現在位置を把握することができる携帯端末装置および表示方法を提供することを目的とする。【解決手段】携帯電話１は、電源である電池６と、電池６からの電力の供給が断たれた後も、情報を表示し続けることができる記憶性を有する表示部３と、携帯電話１の現在位置を示す現在位置情報を取得するＧＰＳ信号受信５と、現在位置情報と、現在位置情報が取得された時刻を示す時刻情報を表示部４に表示する制御部８とを備える。【選択図】図２
2010124150.tif 000002
【特許請求の範囲】
【請求項１】
電池を電源として動作する携帯端末装置であって、
前記電池からの電力の供給が断たれた後も、情報を表示し続けることができる記憶性を有する表示部と、
現在位置を示す現在位置情報を取得する現在位置情報取得部と、
前記現在位置情報と、該現在位置情報が取得された時刻を示す時刻情報とを前記表示部に表示する制御部と
を備えることを特徴とする携帯端末装置。
【請求項２】
前記電池の残量を検出する電池残量検出部を更に備え、
前記制御部は、前記電池残量検出部が検出した前記電池の残量に基づいて、前記現在位置情報と前記時刻情報とを前記表示部に表示することを特徴とする請求項１に記載の携帯端末装置。
【請求項３】
前記制御部は、前記電池残量検出部により検出された電池の残量が、予め設定された閾値以下であると判断した場合は、前記現在位置情報と前記時刻情報とを前記表示部に表示することを特徴とする請求項２に記載の携帯端末装置。
【請求項４】
前記制御部は、前記現在位置情報と前記時刻情報とを前記表示部に表示する際に、前記現在位置情報と前記時刻情報とを拡大させて表示することを特徴とする請求項１〜請求項３のいずれか１項に記載の携帯端末装置。
【請求項５】
指示を操作入力するための操作入力部を更に備え、
前記制御部は、前記表示部に前記現在位置情報と前記時刻情報とが表示された後、前記操作入力部の操作が無効となるように制御することを特徴とする請求項１〜請求項４のいずれか１項に記載の携帯端末装置。
【請求項６】
前記制御部は、前記表示部に前記現在位置情報と前記時刻情報とが表示された後、前記電池による電力供給がオフになるように制御することを特徴とする請求項１〜請求項５のいずれか１項に記載の携帯端末装置。
【請求項７】
電池を電源として動作する携帯端末装置の画面に現在位置情報に関する表示を行う表示方法であって、
現在位置を示す現在位置情報を取得する現在位置情報取得ステップと、
前記現在位置情報と、該現在位置情報が取得された時刻を示す時刻情報とを、前記電池からの電力の供給が断たれた後も、情報を表示し続けることができる記憶性を有する表示部に表示する表示ステップと
を少なくとも備えることを特徴とする表示方法。
【請求項８】
前記現在位置情報取得ステップの前に、前記電池の残量を検出する電池残量検出ステップを更に備え、
前記表示ステップにおいて、検出された前記電池の残量に基づいて、前記現在位置情報と前記時刻情報とを前記表示部に表示することを特徴とする請求項７に記載の表示方法。
【請求項９】
前記電池残量検出ステップの後であって、前記現在位置情報取得ステップの前に、検出された前記電池の残量が、予め設定された閾値以下であるか否かを判断する判断ステップを更に備え、
前記判断ステップにおいて、前記電池の残量が前記閾値以下であると判断した場合は、前記表示ステップにおいて、前記現在位置情報と前記時刻情報とを前記表示部に表示することを特徴とする請求項８に記載の表示方法。
【発明の詳細な説明】
【技術分野】
【０００１】
本発明は、携帯電話等の携帯端末装置に関し、特に、目的地に到達するためのナビゲーション機能を備えた携帯端末装置および表示方法に関する。
【背景技術】
【０００２】
近年、携帯電話、ＰＨＳ（Personal Handyphone System）、ＰＤＡ（Personal Digital Assistant）、携帯ゲーム機器、及び携帯音楽プレーヤー等の携帯端末装置が多機能化している。そして、これらの携帯端末装置において、インターネット接続機能やカメラ機能の他、歩行者が目的地に容易に到達するためのナビゲーション機能を備えた携帯端末装置が提案されている。
【０００３】
また、一般に、このようなナビゲーション機能を備えた携帯端末装置では、ＧＰＳ(Global Positioning System：全地球測位システム)が用いられている。なお、ＧＰＳとは、一般に、複数の人工衛星からの電波を受信し、その到達時間のズレから、歩行者のいる緯度と経度等の地球上の位置情報を算出するシステムである。そして、ＧＰＳ衛星に追随するように、常時、タイミングを同期させながら、歩行者の現在位置を計測するための処理を継続的に行うことにより、歩行者の現在位置情報を取得し、歩行者を出発地から目的地までの経路に沿ってナビゲーションする。
【０００４】
また、一般に、携帯端末装置においては、リチウムイオン電池やニッケル−カドミウム電池等の二次電池を電源としているが、これらの電池は小型であるため、使用可能時間が短い。また、このような小型の電池を電源とした携帯端末装置においては、インターネット機能やカメラ機能等の使用により、電池の消費電力が増大して、電池の残量が著しく低下してしまう。電池の残量が低下した場合は、電池の充電や交換を行う必要があるが、携帯端末装置を屋外で使用し、かつ、予備の電池を持参していない場合は、使用者は、電池の残量が低下した場合であっても、電池の充電や交換を行えないという問題があった。
【０００５】
そこで、携帯端末装置を屋外で使用し、電池の残量が低下した場合であっても、電池の充電や交換を行うことができる携帯端末装置が提案されている。より具体的には、この携帯電話端末装置は、ＧＰＳ衛星から取得した現在位置情報に基づいて現在位置を検出する位置情報検出部と、基地局との間で無線による通信を行う無線部と、文字や画像による情報（地図情報）を表示する表示部と、電源である電池と、電池が所定値以下の残量になったことを検出する電池残量検出部を備えている。そして、ＧＰＳによる携帯端末装置の位置情報を基地局側へ通知するとともに、この通知に対する基地局側からの携帯端末装置の現在地周辺に存在する充電サービス店舗に関する店舗情報を取得し、店舗情報に基づく表示を行う制御部を備える構成としている。このような構成により、電池の残量が低下した場合に、充電サービス店舗の所在場所を携帯端末装置において迅速かつ的確に把握することが可能になるため、短時間に電池の充電が行うことができ、結果として、携帯端末装置が使用不能になる状態を回避することができると記載されている（例えば、特許文献１参照）。
【特許文献１】特開２００４−５６５５５号公報
【発明の開示】
【発明が解決しようとする課題】
【０００６】
上記特許文献１に記載の携帯端末装置においては、上述のごとく、電池の残量が低下した場合に、表示部に表示された近隣の充電サービス店舗の所在位置情報や使用者の現在位置情報を示す地図情報に基づいて、電池の充電を行うことは可能である。しかし、電池の残量が切れた場合（即ち、電池が放電状態となった場合）は、それまで表示されていた地図情報が表示されなくなってしまう。従って、一旦、電池の残量が切れてしまうと、使用者の現在位置が判らなくなるという問題があった。
【０００７】
特に、山間部等の遠隔地においては、一般に、充電サービス店舗まで距離があるため、充電サービス店舗の所在位置情報を示す地図情報が表示された場合であっても、電池の充電を行うことが困難である。また、山間部等の遠隔地においては、一旦、電池の残量が切れてしまうと、使用者の現在位置が判らなくなるため、遭難の可能性が高まるという問題があった。
【０００８】
そこで、本発明は、上述の問題に鑑みてなされたものであり、電池の残量が切れてしまった場合であっても、使用者が、自己の現在位置を把握することができる携帯端末装置および表示方法を提供することを目的とする。
【課題を解決するための手段】
【０００９】
上記目的を達成するために、請求項１に記載の発明は、電池を電源として動作する携帯端末装置であって、電池からの電力の供給が断たれた後も、情報を表示し続けることができる記憶性を有する表示部と、現在位置を示す現在位置情報を取得する現在位置情報取得部と、現在位置情報と、現在位置情報が取得された時刻を示す時刻情報とを表示部に表示する制御部とを備えることを特徴とする。
【００１０】
同構成によれば、電池の残量が切れて、電池からの電力の供給が断たれた後も、現在位置情報と、現在位置情報が取得された時刻を示す時刻情報を表示部に表示することが可能になる。従って、電池の残量が切れた後であっても、使用者は、電池の残量が切れる前に表示部に表示された現在位置情報と時刻情報に基づいて、現在位置を推定することが可能になる。特に、山間部等の遠隔地においても、現在位置を推定することが可能になるため、遭難の可能性を低減することができる。
【００１１】
請求項２に記載の発明は、請求項１に記載の携帯端末装置であって、電池の残量を検出する電池残量検出部を更に備え、制御部は、電池残量検出部が検出した電池の残量に基づいて、現在位置情報と時刻情報とを前記表示部に表示することを特徴とする。
【００１２】
同構成によれば、電池の残量に対応させて、現在位置情報と時刻情報を表示部に表示することができるため、電池の残量が切れる前に、現在位置情報と時刻情報を表示部に確実に表示することが可能になる。従って、電池の残量が切れた後も、使用者は、電池の残量が切れる前の現在位置情報と時刻情報に基づいて、現在位置を確実に推定することが可能になる。
【００１３】
請求項３に記載の発明は、請求項２に記載の携帯端末装置であって、制御部は、電池残量検出部により検出された電池の残量が、予め設定された閾値以下であると判断した場合は、現在位置情報と時刻情報とを表示部に表示することを特徴とする。
【００１４】
同構成によれば、電池の残量が少なくなり、電池の残量が切れる可能性が高い場合であっても、電池の残量が切れる前に、現在位置情報と時刻情報を確実に表示することができる。従って、電池の残量が切れた後も、使用者は、電池の残量が切れる前の現在位置情報と時刻情報に基づいて、現在位置を確実に推定することが可能になる。
【００１５】
請求項４に記載の発明は、請求項１〜請求項３のいずれか１項に記載の携帯端末装置であって、制御部は、現在位置情報と時刻情報とを表示部に表示する際に、現在位置情報と時刻情報を拡大させて表示することを特徴とする。
【００１６】
同構成によれば、現在位置情報と時刻情報が、表示部に拡大された状態で表示されるため、使用者が、現在位置情報と時刻情報を容易に確認することが可能になる。
【００１７】
請求項５に記載の発明は、請求項１〜請求項４のいずれか１項に記載の携帯端末装置であって、指示を操作入力するための操作入力部を更に備え、制御部は、表示部に現在位置情報と時刻情報とが表示された後、操作入力部の操作が無効となるように制御することを特徴とする。
【００１８】
同構成によれば、表示部に現在位置情報と前記時刻情報が表示された後、操作入力部の操作が行われた場合であっても、携帯端末装置において、操作入力部の操作入力に基づく指示に応じた動作が生じるのを防止できる。従って、操作入力部の操作入力に基づく現在位置情報と時刻情報の表示不良を防止できる。
【００１９】
請求項６に記載の発明は、請求項１〜請求項５のいずれか１項に記載の携帯端末装置であって、制御部は、表示部に現在位置情報と時刻情報とが表示された後、電池による電力供給がオフになるように制御することを特徴とする。
【００２０】
同構成によれば、表示部に現在位置情報と時刻情報が表示された状態で、電池の残量が切れることを防止できる。従って、例えば、使用者が、表示部に表示された現在位置情報と時刻情報に基づいて、現在位置を推定した後に、電話機能（電話の発着信）を使用できるため、外部と連絡をとることが可能になる。
【００２１】
請求項７に記載の発明は、電池を電源として動作する携帯端末装置の画面に現在位置情報に関する表示を行う表示方法であって、現在位置を示す現在位置情報を取得する現在位置情報取得ステップと、現在位置情報と、現在位置情報が取得された時刻を示す時刻情報とを、電池からの電力の供給が断たれた後も、情報を表示し続けることができる記憶性を有する表示部に表示する表示ステップとを少なくとも備えることを特徴とする。
【００２２】
同構成によれば、電池の残量が切れて、電池からの電力の供給が断たれた後であっても、現在位置情報と、現在位置情報が取得された時刻を示す時刻情報を表示部に表示することが可能になる。従って、電池の残量が切れた後であっても、使用者は、電池の残量が切れる前に表示された現在位置情報と時刻情報に基づいて、現在位置を推定することが可能になる。特に、山間部等の遠隔地においても、現在位置を推定することが可能になるため、遭難の可能性を低減することができる。
【００２３】
請求項８に記載の発明は、請求項７に記載の表示方法であって、現在位置情報取得ステップの前に、電池の残量を検出する電池残量検出ステップを更に備え、表示ステップにおいて、検出された電池の残量に基づいて、現在位置情報と時刻情報とを表示部に表示することを特徴とする。
【００２４】
同構成によれば、電池の残量に対応させて、現在位置情報と時刻情報を表示部に表示することができるため、電池の残量が切れる前に、現在位置情報と時刻情報を表示部に確実に表示することが可能になる。従って、電池の残量が切れた後であっても、使用者は、電池の残量が切れる前の現在位置情報と時刻情報に基づいて、現在位置を確実に推定することが可能になる。
【００２５】
請求項９に記載の発明は、請求項８に記載の表示方法であって、電池残量検出ステップの後であって、現在位置情報取得ステップの前に、検出された電池の残量が、予め設定された閾値以下であるか否かを判断する判断ステップを更に備え、判断ステップにおいて、電池の残量が閾値以下であると判断された場合は、表示ステップにおいて、現在位置情報と時刻情報とを表示部に表示することを特徴とする。
【００２６】
同構成によれば、電池の残量が少なくなり、電池の残量が切れる可能性が高い場合であっても、電池の残量が切れる前に、現在位置情報と時刻情報を確実に表示することができる。従って、電池の残量が切れた後であっても、使用者は、電池の残量が切れる前の現在位置情報と時刻情報に基づいて、現在位置を確実に推定することが可能になる。
【発明の効果】
【００２７】
本発明によれば、電池の残量が切れた後であっても、使用者は、表示された現在位置情報と時刻情報に基づいて、現在位置を推定することが可能になる。
【発明を実施するための最良の形態】
【００２８】
以下、本発明の実施形態を図面に基づいて詳細に説明する。尚、本発明は、以下の実施形態に限定されるものではない。
【００２９】
図１は、本発明の実施形態に係る携帯電話を説明するための外観図であり、図２は、本発明の実施形態に係る携帯電話の構成を説明するためのブロック図である。また、図３は、本発明の実施形態に係る携帯電話の表示部に表示される地図情報の一例を示す図である。なお、本実施携帯においては、携帯端末装置として、電池を電源として動作する携帯電話を例に挙げて説明する。
【００３０】
図１、図２に示すように、携帯電話１は、ＧＰＳ衛星ＳからのＧＰＳ信号を受信するためのアンテナ２と、携帯電話１（即ち、使用者）の現在位置を示す地図情報を表示するための表示部３と、使用者が携帯電話１への指示を操作入力するための操作入力部４を備えている。また、携帯電話１は、アンテナ１を介して入力されたＧＰＳ信号に基づいて、携帯電話１の現在位置を示す現在位置情報を取得するための現在位置情報取得部であるＧＰＳ信号受信部５と、電源である電池６と、電池６の残量を検出するための電池残量検出部７を備えている。
【００３１】
表示部３としては、表示内容の書き換え時にのみ電力を消費し、一旦、表示された画像や文字等の情報を表示し続けるためにエネルギーを必要とせず、電源である電池６の残量が切れて、電池６からの電力の供給が断たれた後も、これらの情報を表示し続けることができる記憶性を有する表示素子が使用される。この表示部３としては、例えば、光書き込み型の電子ペーパーや、コレステリック液晶や強誘電性液晶等の記憶性を有する液晶が使用できる。
【００３２】
操作入力部４は、複数の操作ボタン４ａにより構成されており、使用者が操作ボタン４ａを押圧することにより、携帯電話１への指示が操作入力されて、操作入力部４から信号が入力される。そして、携帯電話１において、操作入力された指示に対応する動作（例えば、通話動作、電子メール送受信動作、インターネット接続動作、カメラ撮影動作等）が行われる。
【００３３】
電池６としては、携帯電話１の電源として使用できるものであれば、どのような電池を使用しても良く、例えば、メタノール燃料等を利用した燃料電池や、リチウムイオン電池やニッケル−カドミウム電池等の二次電池が使用できる。
【００３４】
電池残量検出部７は、電池６の残量を検出するためのセンサーとして機能するものである。電池残量の検出方法としては、例えば、リチウムイオン電池を使用する場合は、リチウムイオン電池の測定電圧と、予め設定された基準電圧を比較して残量を検出する方法が挙げられ、また、燃料電池を使用する場合は、燃料として使用するメタノール溶液の液面位置から残量を検出する方法が挙げられる。
【００３５】
また、携帯電話１は、表示部３の制御を行う制御部８と、制御部８に接続された記憶部であるメモリ１０を備えている。このメモリ１０は、ＲＯＭ１１およびＲＡＭ１２を備えており、制御部８は、ＲＯＭ１１に記憶されているプログラムに従い、各部の制御を行う。また、ＲＡＭ１２には、表示部３に表示するための地図情報と、時刻情報が記憶されている。なお、制御部８は、表示部３の制御以外に、操作入力部４の制御や電池６による電力の供給の制御等、携帯電話１が備える各部の制御も行う構成となっている。
【００３６】
ＧＰＳ衛星Ｓは、全世界測位システムを実現するための位置情報を、携帯電話１に提供する人工衛星である。
【００３７】
また、図２に示すように、制御部８には、操作入力部４、ＧＰＳ信号受信部５、および電池残量検出部７が接続されており、操作入力部４は、操作入力に基づく信号を制御部８に供給する。また、ＧＰＳ信号受信部５は、アンテナ１を介して入力されたＧＰＳ信号に基づいて取得された携帯電話１の現在位置を示す現在位置情報を制御部８に供給する。また、電池残量検出部７は、検出した電池６の残量に関する信号を制御部８に供給する。
【００３８】
以上の構成の下、アンテナ１を介してＧＰＳ信号が入力されると、ＧＰＳ信号受信部５は、ＧＰＳ信号に基づいて携帯電話１の現在位置を示す現在位置情報を取得する。次いで、取得された携帯電話１の現在位置を示す現在位置情報が、ＧＰＳ信号受信部５により、制御部８へと出力されるとともに、制御部８は、ＲＡＭ１２に記憶された地図情報のうち、携帯電話１の現在位置が含まれる地図情報を読み出す。そして、制御部８は、図３に示すように、現在位置情報を示す地図情報を表示部３の画面に表示する構成となっている。
【００３９】
次に、携帯電話１における地図情報の表示処理について説明する。図４は、本発明の実施形態に係る携帯電話における地図情報の表示処理の手順を説明するためのフローチャートである。
【００４０】
まず、図４に示すように、携帯電話の１の電源をＯＮの状態にすると（ステップＳ１）、電池残量検出部７が、電池６の残量を検出し（ステップＳ２）、検出された電池６の残量に関する信号が、制御部８に入力される。そして、制御部８は、電池残量検出部７により検出された電池の残量が、予め設定された閾値（例えば、電池６の満充電容量の１／５）以下か否かを判断する（ステップＳ３）。そして、制御部８は、電池６の残量が、予め設定された閾値以下であると判断した場合は、電池６の残量が低下しているものと判定し、ＧＰＳ信号受信部５を制御するための制御信号を生成するとともに、当該制御信号が、ＧＰＳ信号受信部５に入力される。そして、ＧＰＳ信号受信部５は、アンテナ１を介して入力されたＧＰＳ信号に基づいて、携帯電話１の現在位置を示す現在位置情報を取得する（ステップＳ４）。一方、制御部８は、電池６の残量が、予め設定された閾値よりも大きいと判断した場合は、電池６の残量は低下していないものと判定し、上述の制御信号を生成しない。従って、この場合は、ＧＰＳ信号受信部５は、携帯電話１の現在位置を示す現在位置情報を取得せず、上述のステップＳ２、Ｓ３の処理が繰り返される。
【００４１】
次いで、取得された携帯電話１の現在位置を示す現在位置情報が、ＧＰＳ信号受信部５により、制御部８へと出力される（ステップＳ５）。そして、制御部８は、ＲＡＭ１１に記憶された地図情報、および時刻情報のうち、携帯電話１の現在位置が含まれる地図情報を読み出すとともに、ＧＰＳ信号受信部５により現在位置情報が取得された時刻を示す時刻情報を読み出す（ステップＳ６）。
【００４２】
次いで、制御部８は、表示部３に表示する地図情報の縮尺を、予め設定された値に変更する（ステップＳ７）。より具体的には、例えば、図３に示す、地図情報の縮尺が１／５００００の場合、図５に示すように、表示部３に表示される地図情報、および地図情報に示される現在位置情報と時刻情報を拡大すべく、地図情報の尺度を１／２５０００に変更する。
【００４３】
次いで、制御部８は、読み出した地図情報に、現在位置情報と上述の時刻情報を付加し、図５に示すように、携帯電話１の現在位置を示す現在位置情報と、現在位置情報が取得された時刻を示す時刻情報が示された地図情報を表示部３に表示する（ステップＳ８）。この際、図５に示すように、制御部８は、図３に示す地図情報に比し、拡大された地図情報を表示するため、地図情報に示された現在位置情報と時刻情報も拡大されて表示されることになる。従って、使用者が、現在位置情報と時刻情報を容易に確認することが可能になる。
【００４４】
このように、本実施形態においては、制御部８は、電池残量検出部７が検出した電池６の残量に基づいて（即ち、電池６の残量が、予め設定された閾値以下であると判断した場合に）、現在位置情報と時刻情報を、上述の記憶性を有する表示部３に表示する構成となっている。従って、電池６の残量が切れて、電池６からの電力の供給が断たれた後も、現在位置情報と時刻情報を表示部３に表示することが可能になる。
【００４５】
そうすると、使用者は、電池６の残量が切れた後であっても、電池の残量が切れる前に表示部４に表示された現在位置情報と時刻情報に基づいて、現在位置を推定することが可能になる。例えば、使用者の平均歩行速度を時速３ｋｍとした場合であって、表示部４に表示された時刻情報が示す時刻から１０分経過している場合、表示部４に表示された現在位置情報が示す位置から５００ｍ移動した位置が、現在位置であると推定することができる。
【００４６】
また、上述のステップＳ８において、表示部３に現在位置情報と時刻情報を表示する際に、図５に示すように、制御部８は、電池６の残量が少ない旨の電池残量情報を表示部３に表示する。このような構成により、電池６の残量が少ない旨を使用者に報知して、注意を喚起することが可能になる。
【００４７】
次いで、制御部８は、表示部３に現在位置情報と時刻情報が示された地図情報が表示された後、操作入力部４の操作が行われた場合に、操作入力部４の操作が無効となるように制御して、操作部４をロックする（ステップＳ９）。即ち、使用者が、操作入力部４の操作ボタン４ａを押圧した場合であっても、操作入力部４の操作入力に基づくＣＰＵ８への信号の入力が拒否され、操作入力部４の操作入力が行われた場合であっても、携帯電話１において、通話動作等の操作入力に対応する動作が行われないようにする。このような構成により、使用者による操作入力部４の操作に起因して、表示部３に表示された現在位置情報と時刻情報が消滅する等の表示不良を防止できる。
【００４８】
そして、表示部３に現在位置情報と時刻情報が表示された後、電池６の残量が切れた場合は、携帯電話１における地図情報の表示処理が終了する。一方、電池６の残量が残っている場合は、上述のステップＳ４〜ステップＳ９の処理が繰り返され、電池６の残量が切れるまで、表示部３において、現在位置情報と時刻情報が示された地図情報の表示が更新される（ステップＳ１０）。
【００４９】
以上に説明した本実施形態によれば、以下の効果を得ることができる。
【００５０】
（１）本実施形態においては、携帯電話１が、電池６からの電力の供給が断たれた後も、情報を表示し続けることができる記憶性を有する表示部４と、現在位置情報と時刻情報を表示部４に表示する制御部８を備える構成としている。従って、電池６の残量が切れて、電池６からの電力の供給が断たれた後も、現在位置情報と時刻情報を表示部３に表示することが可能になる。その結果、電池６の残量が切れた後であっても、使用者は、電池の残量が切れる前に表示部４に表示された現在位置情報と時刻情報に基づいて、現在位置を推定することが可能になる。特に、山間部等の遠隔地においても、現在位置を推定することが可能になるため、遭難の可能性を低減することができる。
【００５１】
（２）本実施形態においては、電池６の残量を検出する電池残量検出部７を備える構成としている。また、制御部８が、電池残量検出部７が検出した電池６の残量に基づいて、現在位置情報と時刻情報を表示部３に表示する構成としている。従って、電池６の残量に対応させて、現在位置情報と時刻情報を表示部３に表示することができるため、電池６の残量が切れる前に、現在位置情報と時刻情報を表示部３に確実に表示することが可能になる。その結果、電池６の残量が切れた後も、使用者は、電池の残量が切れる前の現在位置情報と時刻情報に基づいて、現在位置を確実に推定することが可能になる。
【００５２】
（３）本実施形態においては、制御部８が、電池残量検出部７により検出された電池の残量が、予め設定された閾値以下であると判断した場合に、現在位置情報と時刻情報を表示部３に表示する構成としている。従って、電池６の残量が少なくなり、電池６の残量が切れる可能性が高い場合であっても、電池６の残量が切れる前に、現在位置情報と時刻情報を確実に表示することができる。その結果、電池６の残量が切れた後も、使用者は、電池６の残量が切れる前の現在位置情報と時刻情報に基づいて、現在位置を確実に推定することが可能になる。
【００５３】
（４）本実施形態においては、制御部８が、現在位置情報と時刻情報を表示部３に表示する際に、現在位置情報と時刻情報を拡大させて表示する構成としている。従って、使用者が、現在位置情報と時刻情報を容易に確認することが可能になる。
【００５４】
（５）本実施形態においては、制御部８が、表示部３に現在位置情報と時刻情報が表示された後、操作入力部４の操作が無効となるように制御する構成としている。従って、表示部３に現在位置情報と時刻情報が表示された後、操作入力部４の操作が行われた場合であっても、操作入力部４の操作入力に基づく指示に応じた動作が生じるのを防止できる。その結果、操作入力部４の操作入力に基づく現在位置情報と時刻情報の表示不良を防止できる。
【００５５】
（６）本実施形態においては、制御部８が、電池６の残量が少ない旨の電池残量情報を表表示部４に示する構成としている。従って、電池６の残量が少ない旨を使用者に報知して、注意を喚起することが可能になる。その結果、例えば、使用者による操作入力部４の操作入力に対応する動作を抑制して、電池６の消費を抑えることが可能になる。
【００５６】
なお、上記実施形態は以下のように変更しても良い。
【００５７】
・電池６の残量を残すとの観点から、制御部８により、電池６による電力供給がオフになるように制御する構成としても良い。より具体的には、図６に示すように、上述のステップＳ８において説明した、表示部３に現在位置情報と時刻情報が表示された後、電池６による電力供給をオフにする（ステップＳ９ａ）。このような構成により、表示部３に現在位置情報と時刻情報を表示した状態で、電池６の残量が切れることを防止できる。従って、例えば、使用者が、表示部３に表示された現在位置情報と時刻情報に基づいて、現在位置を推定した後に、携帯電話１において電話機能（電話の発着信）を使用できるため、外部と連絡をとることが可能になる。
【００５８】
・また、制御部８により、携帯電話１を省電力モードに切り替え、電池６の消費電力を抑えるように制御する構成としても良い。より具体的には、図７に示すように、上述のステップＳ８において説明した、表示部３に現在位置情報と時刻情報が表示された後、電池６の消費電力を抑える省電力モードに切り替える（ステップＳ８ａ）。このような構成により、電池６の寿命が延びるため、上述のステップＳ１〜ステップＳ１０の処理回数を増加させて、表示部３における現在位置情報と時刻情報の表示の更新回数を増加させることが可能になる。また、省電力モードに切り替えない場合に比し、表示部６における現在位置情報と時刻情報の表示が、長時間行われるようになる。その結果、使用者は、長時間、表示される最新の現在位置情報と時刻情報に基づいて、現在位置を容易に推定することが可能になる。また、山間部等の遠隔地において、遭難の可能性をより一層低減することができる。なお、図７に示すように、省電力モードへの切り替えが行われた後の処理は、上述のステップＳ９〜ステップＳ１０と同様である。
【００５９】
・また、地図情報を提供するサーバ装置を設けておき、無線による通信を介して、携帯電話１とサーバ装置を接続し、サーバ装置から地図情報を取得する構成としても良い。より具体的には、図８に示すように、サーバ装置２０は、携帯電話１との間で信号の送受信を行うことにより、携帯電話１との間で無線通信を行う信号送受信部２１と、地図情報が記憶された地図情報記憶部２２を備えている。また、サーバ装置２０は、信号受信部２１、および地図情報記憶部に接続されるとともに、信号送受信部２１の制御を行う制御部２３を備えている。また、携帯電話１は、制御部８に接続されるとともに、サーバ装置２０との間で信号の送受信を行うことにより、サーバ装置２０との間で無線通信を行う信号送受信部１３を備えている。そして、サーバ装置２０から地図情報を取得する際には、図９に示すように、まず、上述のステップＳ５において説明した、現在位置情報が制御部８へ出力された後、上述のステップ６の代わりに、制御部８は、ＲＡＭ１２より、ＧＰＳ信号受信部５により現在位置情報が取得された時刻を示す時刻情報を読み出すとともに、信号送受信部１３に位置情報を出力する。次いで、信号送受信部１３は、サーバ２０と接続して、無線による通信を介して、現在位置情報をサーバ装置２０に送信する。次いで、サーバ装置２０の信号送受信部２１が現在位置情報を受信するとともに、現在位置情報が信号送受信部２１から制御部２３へ出力される。次いで、制御部２３は、地図情報記憶部２２に記憶された地図情報のうち、携帯電話１の現在位置が含まれる地図情報を読み出すとともに、信号送受信部２１に地図情報を出力する。次いで、信号送受信部２１は、携帯電話１と接続して、無線による通信を介して、地図情報を携帯電話１に送信する。そして、携帯電話１の信号送受信部１３が地図情報を受信するとともに、地図情報が信号送受信部１３から制御部８へ出力され、サーバ装置２０から地図情報が取得される（ステップＳ６ａ）。なお、地図情報の取得後の処理は、上述のステップＳ７〜ステップＳ１０と同様である。
【００６０】
・また、上記実施形態においては、携帯端末装置として、携帯電話を例に挙げて説明したが、本発明はこれに限らず、電池を電源として動作する他の携帯端末装置にも適用することができる。例えば、ＰＨＳ、ＰＤＡ、携帯ゲーム機器、及び携帯音楽プレーヤー等に適用することができる。
【産業上の利用可能性】
【００６１】
以上に説明したように、本発明は、電池を電源として動作する携帯電話等の携帯端末装置に適している。
【図面の簡単な説明】
【００６２】
【図１】本発明の実施形態に係る携帯電話を説明するための外観図である。
【図２】本発明の実施形態に係る携帯電話の構成を説明するためのブロック図である。
【図３】本発明の実施形態に係る携帯電話の表示部に表示される地図情報の一例を示す図である。
【図４】本発明の実施形態に係る携帯電話における地図情報の表示処理の手順を説明するためのフローチャートである。
【図５】本発明の実施形態に係る携帯電話の表示部に表示される現在位置情報と時刻情報が示された地図情報の一例を示す図である。
【図６】本発明の実施形態に係る携帯電話における地図情報の表示処理の手順の変形例を説明するためのフローチャートである。
【図７】本発明の実施形態に係る携帯電話における地図情報の表示処理の手順の変形例を説明するためのフローチャートである。
【図８】本発明の携帯電話を備える地図情報取得システムの構成を説明するためのブロック図である。
【図９】本発明の実施形態に係る携帯電話における地図情報の表示処理の手順の変形例を説明するためのフローチャートである。
【符号の説明】
【００６３】
１    携帯電話
３    表示部
４    操作入力部
５    ＧＰＳ信号受信部（現在位置情報取得部）
６    電池
７    電池残量検出部
８    制御部
【図１】
2010124150.tif 000003
【図２】
2010124150.tif 000004
【図３】
2010124150.tif 000005
【図４】
2010124150.tif 000006
【図５】
2010124150.tif 000007
【図６】
2010124150.tif 000008
【図７】
2010124150.tif 000009
【図８】
2010124150.tif 000010
【図９】
2010124150.tif 000011